(57)【要約】【課題】電装部品に接続される電線の配設経路を当該電装部品に対して容易に固定することが可能なワイヤーハーネスおよび電装部品を提供することを目的とする。【解決手段】ワイヤーハーネスは、電装部品と該電装部品に接続された電線部とを備えている。ここで、電装部品が、筐体部と、該筐体部の外面側に設けられ且つ電線部のうちの電装部品に接続された接続部とは異なる部分が引っ掛けられて筐体部に対する電線部の配設経路を規定しているフック部とを有している。また、フック部が、一部が途切れた欠損部を有する環状部を形成しており、欠損部の間隙の幅が、環状部の内径よりも短い。【選択図】図３
2016174516.tif 000002
【特許請求の範囲】
【請求項１】
電装部品と、
該電装部品に接続された電線部と、を備え、
前記電装部品が、
筐体部と、
該筐体部の外面側に設けられ且つ前記電線部のうちの前記電装部品に接続された接続部とは異なる部分が引っ掛けられて前記筐体部に対する前記電線部の配設経路を規定しているフック部と、を有し、
前記フック部が、
一部が途切れた欠損部を有する環状部を形成しており、
前記欠損部の間隙の幅が、前記環状部の内径よりも短いことを特徴とする、ワイヤーハーネス。
【請求項２】
請求項１に記載のワイヤーハーネスであって、
前記電線部とは異なる経路で前記電装部品に接続され且つ該電装部品において前記電線部と電気的に接続された他の電線部を含む、ワイヤーハーネス。
【請求項３】
請求項１または請求項２に記載のワイヤーハーネスであって、
前記フック部が、
前記筐体部に取り付けられた、ワイヤーハーネス。
【請求項４】
請求項１または請求項２に記載のワイヤーハーネスであって、
前記電装部品が、
前記筐体部と前記フック部とが一体的に形成された部品である、ワイヤーハーネス。
【請求項５】
請求項１から請求項４の何れか１つの請求項に記載のワイヤーハーネスであって、
前記筐体部に、固定対象物に固定される固定部、および前記電線部の前記接続部が係合された被係合部のうちの少なくとも一方の部分が設けられ、
前記フック部が、
前記筐体部のうちの前記固定部および前記被係合部の何れも設けられていない方向の外面上に位置している、ワイヤーハーネス。
【請求項６】
電線部を接続するための被接続部を有する筐体部と、
前記筐体部の外面側に設けられ且つ前記電線部のうちの前記被接続部に接続される接続部とは異なる部分が引っ掛けられて前記筐体部に対する前記電線部の配設経路を規定するためのフック部と、を備え、
前記フック部が、
一部が途切れた欠損部を有する環状部を形成しており、
前記欠損部の間隙の幅が、前記環状部の内径よりも短いことを特徴とする、電装部品。
【請求項７】
請求項６に記載の電装部品であって、
前記フック部が、
前記筐体部に取り付けられた、電装部品。
【請求項８】
請求項６に記載の電装部品であって、
前記筐体部と前記フック部とが一体的に形成された、電装部品。
【請求項９】
請求項６から請求項８の何れか１つの請求項に記載の電装部品であって、
前記筐体部に、固定対象物に固定されるための固定部、および前記電線部の前記接続部が係合されるための被係合部のうちの少なくとも一方の部分が設けられ、
前記フック部が、
前記筐体部のうちの前記固定部および前記被係合部の何れも設けられていない方向の外面上に位置している、電装部品。
【発明の詳細な説明】
【技術分野】
【０００１】
本発明は、電線の配設が容易なワイヤーハーネスおよび電装部品に関する。
【背景技術】
【０００２】
車両等に搭載されるワイヤーハーネスは、複数の絶縁電線が束ねられた電線束を備えている。そして、電線束には、端部にコネクタ等の配線用の電装部品が接続された電線が含まれる。このようなワイヤーハーネスについては、例えば、電装部品が電線束の幹線部にベルト等で固定される技術が提案されている（例えば、特許文献１等）。
【先行技術文献】
【特許文献】
【０００３】
【特許文献１】特開２０１３−８４４０８号公報
【発明の概要】
【発明が解決しようとする課題】
【０００４】
ところで、電線束の任意部分から引き出された電線が電装部品に接続され、該電装部品から電線が引き出されて上記任意部分に向けて折り返されるように配置される形態が考えられる。この場合、電線の配線経路を固定するために、該電線を電装部品に近接させた状態で、電装部品と電線とに対して粘着テープ等がまとめて巻き付けられる構成が考えられる。
【０００５】
しかしながら、小型化が志向されている電装部品においては、粘着テープ等を巻き付けることが可能な部分が非常に限られる。このため、電装部品に接続される電線を当該電装部品に固定する作業は容易でなく、その作業性も悪い。
【０００６】
このような問題は、電装部品に接続されている電線の配線経路を当該電装部品に対して固定する構成一般に共通する。
【０００７】
本発明は、上記課題に鑑みてなされたものであり、電装部品に接続される電線の配設経路を当該電装部品に対して容易に固定することが可能なワイヤーハーネスおよび電装部品を提供することを目的とする。
【課題を解決するための手段】
【０００８】
上記課題を解決するために、第１の態様に係るワイヤーハーネスは、電装部品と、該電装部品に接続された電線部と、を備え、前記電装部品が、筐体部と、該筐体部の外面側に設けられ且つ前記電線部のうちの前記電装部品に接続された接続部とは異なる部分が引っ掛けられて前記筐体部に対する前記電線部の配設経路を規定しているフック部と、を有し、前記フック部が、一部が途切れた欠損部を有する環状部を形成しており、前記欠損部の間隙の幅が、前記環状部の内径よりも短い。
【０００９】
第２の態様に係るワイヤーハーネスは、第１の態様に係るワイヤーハーネスであって、前記電線部とは異なる経路で前記電装部品に接続され且つ該電装部品において前記電線部と電気的に接続された他の電線部を含む。
【００１０】
第３の態様に係るワイヤーハーネスは、第１または第２の態様に係るワイヤーハーネスであって、前記フック部が、前記筐体部に取り付けられたものである。
【００１１】
第４の態様に係るワイヤーハーネスは、第１または第２の態様に係るワイヤーハーネスであって、前記電装部品が、前記筐体部と前記フック部とが一体的に形成された部品である。
【００１２】
第５の態様に係るワイヤーハーネスは、第１から第４の何れか１つの態様に係るワイヤーハーネスであって、前記筐体部に、固定対象物に固定される固定部、および前記電線部の前記接続部が係合された被係合部のうちの少なくとも一方の部分が設けられ、前記フック部が、前記筐体部のうちの前記固定部および前記被係合部の何れも設けられていない方向の外面上に位置している。
【００１３】
第６の態様に係る電装部品は、電線部を接続するための被接続部を有する筐体部と、前記筐体部の外面側に設けられ且つ前記電線部のうちの前記被接続部に接続される接続部とは異なる部分が引っ掛けられて前記筐体部に対する前記電線部の配設経路を規定するためのフック部と、を備え、前記フック部が、一部が途切れた欠損部を有する環状部を形成しており、前記欠損部の間隙の幅が、前記環状部の内径よりも短い。
【００１４】
第７の態様に係る電装部品は、第６の態様に係る電装部品であって、前記フック部が、前記筐体部に取り付けられたものである。
【００１５】
第８の態様に係る電装部品は、第６の態様に係る電装部品であって、前記筐体部と前記フック部とが一体的に形成されたものである。
【００１６】
第９の態様に係る電装部品は、第６から第８の何れか１つの態様に係る電装部品であって、前記筐体部に、固定対象物に固定されるための固定部、および前記電線部の前記接続部が係合されるための被係合部のうちの少なくとも一方の部分が設けられ、前記フック部が、前記筐体部のうちの前記固定部および前記被係合部の何れも設けられていない方向の外面上に位置している。
【発明の効果】
【００１７】
第１から第５の何れの態様に係るワイヤーハーネスならびに第６から第９の何れの態様に係る電装部品によっても、電装部品に接続される電線の配設経路が当該電装部品に対して容易に固定され得る。
【００１８】
第２の態様に係るワイヤーハーネスによれば、例えば、電装部品において電線の配線経路が折り返される場合に、配設経路が当該電装部品に対して容易に固定され得る。
【００１９】
第３の態様に係るワイヤーハーネスおよび第７の態様に係る電装部品の何れによっても、例えば、電装部品に対して電線の配線経路を固定する必要がない場合にはフック部が取り付けられなくても良いため、電装部品およびワイヤーハーネスの小型化および汎用性の向上が図られ得る。
【００２０】
第４の態様に係るワイヤーハーネスおよび第８の態様に係る電装部品の何れによっても、筐体部に対してフック部を取り付ける必要がないため、ワイヤーハーネスおよび電装部品の製造効率が向上し得る。
【００２１】
第５の態様に係るワイヤーハーネスおよび第９の態様に係る電装部品の何れによっても、固定対象物に対する筐体部の固定、および筐体部に対する電線部の脱着が阻害され難い。
【図面の簡単な説明】
【００２２】
【図１】一実施形態に係るワイヤーハーネスの外観を示す概略正面図である。
【図２】一実施形態に係るワイヤーハーネスの外観を示す概略裏面図である。
【図３】一実施形態に係るワイヤーハーネスの外観を示す概略側面図である。
【図４】一実施形態に係る電装部品の外観を示す正面図である。
【図５】一実施形態に係る電装部品の外観を示す背面図である。
【図６】一実施形態に係る電装部品の外観を示す側面図である。
【図７】一実施形態に係る電装部品におけるフック部の変形態様を示す側面図である。
【図８】一実施形態に係る電装部品の構成を模式的に示す分解図である。
【図９】一実施形態に係る電装部品に電線部が接続される様子を例示する図である。
【図１０】一実施形態に係る電装部品に電線部が接続される様子を例示する図である。
【図１１】一実施形態に係る電装部品に電線部が接続される様子を例示する図である。
【図１２】一実施形態に係る電装部品に電線部が接続される様子を例示する図である。
【図１３】一実施形態に係る電装部品に電線部が接続される様子を例示する図である。
【図１４】一実施形態に係る電装部品に電線部が接続される様子を例示する図である。
【図１５】一実施形態に係る電装部品に電線部が接続される様子を例示する図である。
【図１６】一変形例に係る電装部品の外観を示す概略正面図である。
【図１７】他の一変形例に係る電装部品の外観を示す正面図である。
【図１８】他の一変形例に係るワイヤーハーネスの外観を示す概略正面図である。
【発明を実施するための形態】
【００２３】
以下、添付の図面を参照しながら、一実施形態に係るワイヤーハーネスおよび電装部品について説明する。当該一実施形態は、本発明を具体化した一例であり、本発明の技術的範囲を限定する事例ではない。
【００２４】
＜１．一実施形態＞
図１から図３は、一実施形態に係るワイヤーハーネス１の外観を模式的に示す図である。具体的には、図１は、ワイヤーハーネス１の外観を示す概略正面図である。図２は、ワイヤーハーネス１の外観を示す概略裏面図である。図３は、ワイヤーハーネス１の外観を示す概略側面図である。また、図１から図３の何れにおいても、ワイヤーハーネス１のうちの電装部品２が配設される部分およびその周辺部分が示されている。図４から図６は、一実施形態に係る電装部品２の外観を模式的に示す図である。具体的には、図４は、電装部品２の外観を示す概略正面図である。図５は、電装部品２の外観を示す概略裏面図である。図６は、電装部品２の外観を示す概略側面図である。また、図７は、電装部品２のフック部２２の変形態様を示す概略側面図である。図８は、電装部品２の本体部としての筐体部２１にフック部２２および固定部２３がそれぞれ取り付けられる構成を例示する概略正面図である。なお、図７では、フック部２２が弾性変形する方向が矢印で示されており、図８では、筐体部２１に対してフック部２２および固定部２３が取り付けられる方向が矢印で示されている。
【００２５】
各図に示される座標軸において、Ｘ軸方向は、電装部品２の長手方向を示し、Ｙ軸方向は、電装部品２の長手方向に直交する電装部品２の幅方向を示し、Ｚ軸方向は、電装部品２の長手方向および幅方向に直交する高さ方向を示す。なお、各図における各種寸法は、模式的に示されたものであり、適宜変更され得る。
【００２６】
ワイヤーハーネス１は、図１から図３で示されるように、例えば、電装部品２と、該電装部品２に接続された電線部３とを備えている。
【００２７】
電装部品２は、図１から図３および図４から図６で示されるように、電線部３が接続される電装部品であり、主に、筐体部２１とフック部２２と固定部２３とを有している。電線部３は、例えば、ワイヤーハーネス１の本体部としての幹線部から適宜引き出される電線等によって構成され得る。幹線部としては、例えば、複数の電線が結束された構成を有するものが採用され得る。各電線は、例えば、線状の導体と、該線状の導体の周囲を被覆する絶縁性の保護材とによって構成される。ここで、電線部３は、相互に異なる経路で電装部品２に接続されている第１電線部３１および第２電線部３２を含んでいる。そして、第１電線部３１と第２電線部３２とが電装部品２において電気的に接続されている。つまり、第２電線部３２は、第１電線部３１とは異なる経路で電装部品２に接続され且つ該電装部品２において第１電線部３１と電気的に接続された他の電線部としての役割を果たし得る。これにより、例えば、電装部品２において電線部３の配線経路が折り返される場合に、電線部３の配設経路が当該電装部品２に対して容易に固定され得る。
【００２８】
ところで、電装部品２としては、例えば、ジョイントコネクタ等と称される電装部品が採用され得る。本実施形態では、電装部品２としてジョイントコネクタが採用されている例が挙げられている。当該ジョイントコネクタは、例えば、第１電線部３１と第２電線部３２との電気的な接続を実現する。第１電線部３１は、該第１電線部３１の一端部に設けられた第１接続部３１ｃによって筐体部２１の第１被接続部２１１に接続される。また、第２電線部３２は、該第２電線部３２の一端部に設けられた第２接続部３２ｃによって筐体部２１の第２被接続部２１２に接続される。第１接続部３１ｃおよび第２接続部３２ｃは、例えば、いわゆるコネクタによって構成され、筐体部２１内において、相互に電気的に接続される。
【００２９】
筐体部２１は、例えば、略直方体状の形状を有しており、＋Ｘ方向の面に第１被接続部２１１を有し、−Ｘ方向の面に第２被接続部２１２を有している。また、筐体部２１には、＋Ｚ方向の外面にフック部２２が設けられ、−Ｙ方向の外面に固定部２３が設けられ、＋Ｙ方向の外面に被係合部２４が設けられている。ここで、筐体部２１は、例えば、主に樹脂等によって構成され得る。第１被接続部２１１は、図６で示されるように、−Ｘ方向に窪んだ第１凹部２１１ｄと、該第１凹部２１１ｄの奥に設けられた金属製の第１端子部ＥＬ１とを有している。また、第１被接続部２１１の構造と第２被接続部２１２の構造とは、ＹＺ平面を基準としては概ね面対称の関係を有している。つまり、第２被接続部２１２は、＋Ｘ方向に窪んだ第２凹部と、該第２凹部の奥に設けられた金属製の第２端子部とを有している。
【００３０】
フック部２２は、筐体部２１の外面側に設けられ且つ第１電線部３１のうちの電装部品２に接続された第１接続部３１ｃとは異なる部分が引っ掛けられる部分である。そして、第１電線部３１がフック部２２に引っ掛けられることにより、筐体部２１に対する第１電線部３１の配設経路が規定される。また、例えば、フック部２２が、一部が途切れた欠損部２２ｏを有する環状の部分（環状部とも言う）２２ｃを形成し、該環状部２２ｃのうちの欠損部２２ｏにおける間隙の幅Ｗ１が、該環状部２２ｃの内径ｄ１よりも小さければ、第１電線部３１の配設経路が当該電装部品２に対して容易に固定され得る。なお、間隙の幅Ｗ１は、例えば、環状部２２ｃの欠損部２２ｏにおける間隙の最短距離であれば良い。また、ここでは、例えば、第１電線部３１の径が、内径ｄ１よりも小さく、幅Ｗ１よりも大きければ、フック部２２に第１電線部３１が安定して引っ掛けられ得る。
【００３１】
また、フック部２２は、例えば、樹脂等の弾性変形が可能な素材によって構成され、例えば、外力の付与によって、主に環状部２２ｃのうちの薄肉となっている部分（薄肉部とも言う）２２ｔにおいて弾性変形を生じる。これにより、環状部２２ｃのうちの欠損部２２ｏにおける間隙の幅Ｗ１が拡がる。その結果、第１電線部３１が、欠損部２２ｏの間隙を介してフック部２２の環状部２２ｃ内の中空部分２２ｈに配置され得る。
【００３２】
ここで、フック部２２が、筐体部２１に取り付けられている構成が採用されれば、例えば、電装部品２において電線部３の配線経路が折り返されず、電装部品２に対して電線部３の配線経路を固定する必要がない場合には、筐体部２１にフック部２２が取り付けられずに電装部品が使用され得る。このため、電装部品２およびワイヤーハーネス１の小型化と汎用性の向上とが図られ得る。なお、筐体部２１にフック部２２が取り付けられる方式としては、例えば、図４および図８で示されるように、フック部２２に設けられた突起部２２ｉが筐体部２１に設けられた孔部２１ｅ１に挿入される差し込み方式が採用され得る。なお、例えば、筐体部２１に対してフック部２２が接着あるいは貼付される方式が採用されても良い。
【００３３】
一方、例えば、電装部品２が、筐体部２１とフック部２２とが一体的に形成された部品であれば、筐体部２１に対してフック部２２を取り付ける必要がないため、ワイヤーハーネス１および電装部品２の製造効率が向上し得る。また、例えば、電装部品２およびワイヤーハーネス１の製造の現場で、小さなフック部２２の紛失および取り付け忘れ等の不具合が生じ難い。ここでは、例えば、樹脂の一体成型等によって、筐体部２１とフック部２２とが一体的に形成され得る。
【００３４】
固定部２３は、筐体部２１を固定対象物に固定するための部分である。固定対象物としては、例えば、車両のボディ等が挙げられる。ここで、筐体部２１に対して固定部２３が取り付けられる方式としては、例えば、図４および図８で示されるように、固定部２３の一部が、筐体部２１に設けられた被嵌合部２１ｅ２に嵌合される嵌合方式が採用され得る。なお、筐体部２１と固定部２３とが、例えば、樹脂の一体成型あるいはインサート成型等によって、一体的に形成されても良い。
【００３５】
被係合部２４は、第１電線部３１の第１接続部３１ｃが筐体部２１に係合される部分（第１被係合部とも言う）２４１、および第２電線部３２の第２接続部３２ｃが係合される部分（第２被係合部とも言う）２４２を有している。
【００３６】
ここで、例えば、第１被係合部２４１が有底の孔部または貫通孔であれば、筐体部２１の＋Ｙ方向の外面部の−Ｘ側の端部近傍に配された第１被係合部２４１に、第１接続部３１ｃで突起している第１係合部３１ｃｒが嵌まって該第１接続部３１ｃが筐体部２１に係合し得る。つまり、第１被係合部２４１および第１係合部３１ｃｒは、筐体部２１に対して第１接続部３１ｃが接続している状態を維持するための機構（第１ロック機構とも言う）Ｒ１を構成している。
【００３７】
また、ここで、例えば、第２被係合部２４２が有底の孔部または貫通孔であれば、筐体部２１の＋Ｙ方向の外面部の＋Ｘ側の端部近傍に配された第２被係合部２４２に、第２接続部３２ｃで突起している第２係合部３２ｃｒが嵌まって該第２接続部３２ｃが筐体部２１に係合し得る。つまり、第２被係合部２４２および第２係合部３２ｃｒは、筐体部２１に対して第２接続部３２ｃが接続している状態を維持するための機構（第２ロック機構とも言う）Ｒ２を構成している。
【００３８】
ところで、フック部２２は、筐体部２１のうちの固定部２３および被係合部２４の何れも設けられていない方向の外面上に位置している。例えば、筐体部２１が略直方体状の外形を有する場合には、フック部２２は、筐体部２１の外面部を構成する６面のうち、固定部２３および被係合部２４が設けられていない外面部上に位置している。これにより、固定対象物に対する筐体部２１の固定、および筐体部２１に対する電線部３の脱着が阻害され難い。本実施形態では、筐体部２１のうちの＋Ｙ方向の外面部に被係合部２４が設けられ、筐体部２１のうちの−Ｙ方向の外面部に固定部２３が設けられ、フック部２２が、筐体部２１のうちの＋Ｚ方向の外面部に設けられている。
【００３９】
図９から図１５は、本実施形態に係る電装部品２に電線部３が接続される様子を例示する図である。
【００４０】
例えば、まず、図９および図１０で示されるように、第２電線部３２の第２接続部３２ｃが筐体部２１の第２被接続部２１２に挿入される。このとき、第２被係合部２４２に第２係合部３２ｃｒが係合して、第２ロック機構Ｒ２が形成される。次に、例えば、図１１および図１２で示されるように、第１電線部３１の第１接続部３１ｃが筐体部２１の第１被接続部２１１に挿入される。このとき、第１被係合部２４１に第１係合部３１ｃｒが係合して、第１ロック機構Ｒ１が形成される。次に、例えば、図１３で示されるように、作業者またはロボットアームの指等によってフック部２２に外力が付与されることで、フック部２２が弾性的に変形されて、環状部２２ｃの欠損部２２ｏにおける間隙が拡げられる。このとき、図１４および図１５で示されるように、第１電線部３１のうちの電装部品２に接続された第１接続部３１ｃとは異なる部分が、欠損部２２ｏの間隙を介して、フック部２２の中空部分２２ｈ内に配置される。これにより、第１電線部３１がフック部２２に引っ掛けられる。ここでは、フック部２２の中空部分２２ｈ内に第１電線部３２が配置された後に、フック部２２に対して付与されていた外力が解除されることで、フック部２２が、弾性力によって、図１３で示されるような状態から、図３で示されるような状態となる。その後、例えば、図１および図２で示されるように、第１電線部３１と第２電線部３２とが束ねられた状態で、テープ３３等が巻き付けられる。
【００４１】
以上のように、本実施形態に係るワイヤーハーネス１は、電装部品２と該電装部品２に接続された電線部３に含まれる第１および第２電線部３１，３２とを備えている。そして、該電装部品２が、筐体部２１と、該筐体部２１の外面側に設けられ且つ第１電線部３１のうちの電装部品２に接続された第１接続部３１ｃとは異なる部分がフック部２２に引っ掛けられて筐体部２１に対する第１電線部３１の配設経路が規定される。ここで、フック部２２は、一部が途切れた欠損部２２ｏを有する環状部２２ｃを形成しており、該環状部２２ｃにおける欠損部２２ｏの間隙の幅Ｗ１が、環状部２２ｃの内径ｄ１よりも短い。このような構成により、例えば、テープによる巻き付けによって第１電線部３１を電装部品２に対して固定する作業が不要となり、第１電線部３１を電装部品２に固定するためのテープも不要となる。したがって、電装部品２に接続される第１電線部３１の配設経路が当該電装部品２に対して容易に固定され得る。
【００４２】
＜２．変形例＞
なお、本発明は上述の一実施形態に限定されるものではなく、本発明の要旨を逸脱しない範囲において種々の変更、改良等が可能である。
【００４３】
例えば、上記一実施形態では、電装部品２として、第１電線部３１と第２電線部３２との電気的な接続を実現するジョイントコネクタが採用されたが、これに限られない。例えば、電装部品２の代わりに、接地を目的とした電装部品２Ａが採用されても良い。該電装部品２Ａには、ワイヤーハーネスの本体部としての幹線部等から引き出される電線部３Ａが接続される。該電装部品２Ａとしては、例えば、デフォッガーコンデンサー（以下、デフコンと略称する）等と称される部品等が採用され得る。該デフコンには、例えば、インストゥルメント・パネル(以下、インパネと略称する)から大電流が流されてノイズを発生させる電線束から引き出される電線等が接続される。例えば、インパネから引き出された窓ガラスを加熱するための電線等に大電流が流され得る。
【００４４】
ここで、電装部品２Ａおよび電線部３Ａを備えた一変形例に係るワイヤーハーネス１Ａの構成について、図１６を参照しながら説明する。
【００４５】
図１６は、一変形例に係るワイヤーハーネス１Ａの外観を示す図である。電装部品２Ａは、図１６で示されるように、電線部３Ａが接続される電装部品であり、主に、筐体部２１Ａとフック部２２Ａと固定部２３Ａとを有している。電線部３Ａは、相互に異なる経路で電装部品２Ａに接続されている第１電線部３１Ａおよび第２電線部３２Ａを含んでいる。そして、第１電線部３１Ａと第２電線部３２Ａとが電装部品２Ａにおいて電気的に接続されている。つまり、第２電線部３２Ａは、第１電線部３１Ａとは異なる経路で電装部品２Ａに接続され且つ該電装部品２Ａにおいて第１電線部３１Ａと電気的に接続された他の電線部としての役割を果たし得る。なお、ここでは、例えば、幹線部から引き出された第２電線部３２Ａが電装部品２Ａに接続され、該電装部品２Ａに接続された第１電線部３１Ａが幹線部に戻される。
【００４６】
ここで、電装部品２Ａとしてのデフコンは、筐体部２１Ａ内の電極部に第１および第２電線部３１Ａ，３２Ａが接続されている。そして、例えば、該電極部が、車両のボディ等に接地されている。なお、電極部に対する第１および第２電線部３１Ａ，３２Ａの接続は、例えば、電極部に含まれる金属製の刃によって挟まれるように電線部３Ａの保護材が押し切られて、該金属製の刃と電線内の金属製の線状の導体とが接触することで実現され得る。このとき、例えば、電線部３Ａが電極部と接触する部分を境目として、第１電線部３１Ａと第２電線部３２Ａとに区分され得る。そして、第１電線部３１Ａのうちの電極部に接触する部分が、電装部品２Ａに電気的に接続する接続部としての役割を果たし、第２電線部３２Ａのうちの電極部に接触する部分が、電装部品２Ａに電気的に接続する接続部としての役割を果たす。そして、例えば、図１６で示されるように、第１電線部３１Ａと第２電線部３２Ａとが束ねられた状態で、テープ３３Ａ等が巻き付けられる。
【００４７】
また、図１６で示される筐体部２１Ａは、略直方体状の形状を有しており、電装部品２Ａに対して、筐体部２１Ａの＋Ｚ方向の外面部に設けられた開口部２１１Ａを介して第１電線部３１Ａが接続されるとともに、筐体部２１Ａの−Ｚ方向の外面部に設けられた開口部２１２Ａを介して第２電線部３２Ａが接続される。筐体部２１Ａは、例えば、−Ｙ方向の外面部に設けられた複数の蓋部２１Ａ１，２１Ａ２，２１Ａ３を有しており、筐体部２１Ａから各蓋部２１Ａ１，２１Ａ２，２１Ａ３が適宜外され得る。これにより、電子部品、電極部および電線部３Ａ等の各種構成が−Ｙ方向から筐体部２１Ａ内に配置され得る。
【００４８】
また、筐体部２１Ａのうち、−Ｘ方向の外面にフック部２２Ａが設けられ、＋Ｘ方向の外面に固定部２３Ａが設けられている。つまり、フック部２２Ａは、筐体部２１Ａのうちの固定部２３Ａが設けられていない方向の外面上に位置している。これにより、固定対象物に対する筐体部２１Ａの固定、および筐体部２１Ａに対する電線部３Ａの脱着が阻害され難い。
【００４９】
フック部２２Ａは、筐体部２１Ａの外面側に設けられており、且つ第１電線部３１Ａのうちの電装部品２Ａに接続された接続部とは異なる部分がフック部２２Ａに引っ掛けられており、筐体部２１Ａに対する第１電線部３１Ａの配設経路が規定されている。なお、フック部２２Ａとしては、例えば、上記一実施形態に係るフック部２２と同様な構成を有するものが採用され得る。なお、本変形例においても、例えば、上記一実施形態と同様に、フック部２２Ａが筐体部２１Ａに取り付けられている構成が採用されても良いし、筐体部２１Ａとフック部２２Ａとが一体的に形成された電装部品２Ａが採用されても良い。
【００５０】
固定部２３Ａは、筐体部２１Ａを固定対象物に固定するための部分である。ここで、固定部２３Ａについては、上記一実施形態と同様に、その一部が筐体部２１Ａに設けられた被嵌合部に嵌合されても良いし、筐体部２１Ａと固定部２３Ａとが、例えば、樹脂の一体成型あるいはインサート成型等によって、一体的に形成されても良い。
【００５１】
また、上記一実施形態に係る電装部品２の代わりに、ケーブル等の電線部の端子が差し込まれる電装部品２Ｂが採用されても良い。該電装部品２Ｂとしては、例えば、ホルダー等と称される部品等が採用され得る。該ホルダーには、例えば、インパネのリンフォースパネル（Ｒ／Ｐ）から下方に引き出されたケーブル等と言った電線部３Ｂの端子が差し込まれる。
【００５２】
ここで、電装部品２Ｂおよび電線部３Ｂを備えた他の一変形例に係るワイヤーハーネス１Ｂの構成について、図１７および図１８を参照しながら説明する。図１７は、電装部品２Ｂに電線部３Ｂの端子が差し込まれる様子を示す図であり、図１８は、ワイヤーハーネス１Ｂの外観を示す図である。
【００５３】
電装部品２Ｂは、図１７および図１８で示されるように、電線部３Ｂが接続される電装部品であり、主に、筐体部２１Ｂとフック部２２Ｂと固定部２３Ｂとを有している。図１７および図１８で示される電線部３Ｂには、３本の電線部としての第１〜３電線部３１Ｂ，３２Ｂ，３３Ｂが含まれている。これらの第１〜３電線部３１Ｂ，３２Ｂ，３３Ｂは、相互に異なる経路で電装部品２Ｂに接続されている。
【００５４】
ここで、電装部品２Ｂとしてのホルダーは、筐体部２１Ｂにおいて第１〜３被接続部２１１Ｂ，２１２Ｂ，２１３Ｂを有している。そして、第１被接続部２１１Ｂに第１電線部３１Ｂの第１接続部３１ｃＢが接続され、第２被接続部２１２Ｂに第２電線部３２Ｂの第２接続部３２ｃＢが接続され、第３被接続部２１３Ｂに第３電線部３３Ｂの第３接続部３３ｃＢが接続される。第１〜３接続部３１ｃＢ，３２ｃＢ，３３ｃＢは、例えば、接続用の端子等であれば良い。つまり、第１〜３接続部３１ｃＢ，３２ｃＢ，３３ｃＢが、それぞれ第１〜３電線部３１Ｂ，３２Ｂ，３３Ｂを電装部品２Ｂに接続させる接続部としての役割を果たす。そして、例えば、図１８で示されるように、第１〜３電線部３１Ｂ，３２Ｂ，３３Ｂが束ねられた状態で、テープ３３Ｂ等が巻き付けられる。
【００５５】
また、図１７および図１８では、筐体部２１Ｂが、略直方体状の主要な部分から±Ｚ方向にそれぞれ突起する複数の突起部２５Ｂを有している。複数の突起部２５Ｂには、＋Ｚ方向に突起する第１突起部２５１Ｂと、−Ｚ方向に突起する第２突起部２５２Ｂとが含まれる。各突起部２５Ｂには、フック部２２Ｂが設けられている。具体的には、第１突起部２５１Ｂの−Ｘ方向に第１フック部２２Ｂ１が設けられ、第２突起部２５２Ｂの−Ｘ方向に第２フック部２２Ｂ２が設けられている。なお、フック部２２Ｂとしては、例えば、上記一実施形態に係るフック部２２と同様な構成を有するものが採用され得る。なお、本変形例においても、例えば、上記一実施形態と同様に、フック部２２Ｂが筐体部２１Ｂに取り付けられている構成が採用されても良いし、筐体部２１Ｂとフック部２２Ｂとが一体的に形成された電装部品２Ｂが採用されても良い。
【００５６】
第１フック部２２Ｂ１には、第１〜３電線部３１Ｂ〜３３Ｂのうちの電装部品２Ｂに接続された第１〜３接続部３１ｃＢ，３２ｃＢ，３３ｃＢとは異なる部分が引っ掛けられる。これにより、筐体部２１Ｂに対する第１〜第３電線部３１Ｂ〜３３Ｂの配設経路が規定される。さらに、第２フック部２２Ｂ２には、第３電線部３３Ｂのうちの電装部品２Ｂに接続された第３接続部３３ｃＢとは異なる部分が引っ掛けられている。
【００５７】
ここでは、第３電線部３３Ｂは、下方（ここでは−Ｚ方向）に向けて第２フック部２２Ｂ２に引っ掛けられ、第２フック部２２Ｂ２の下方で折り返されて、さらに上方（ここでは＋Ｚ方向）に向けて第２フック部２２Ｂ２に引っ掛けられている。なお、第３電線部３３Ｂのうちの第２フック部２２Ｂ２の下方で折り返された部分（折り返し部とも言う）３３Ｂｗは、例えば、電線部３Ｂを伝って電装部品２Ｂに水分が入り込むのを抑制するための水切り部としての役割を果たす。
【００５８】
固定部２３Ｂは、筐体部２１Ｂを固定対象物に固定するための部分である。ここで、固定部２３Ｂについては、上記一実施形態と同様に、その一部が筐体部２１Ｂに設けられた被嵌合部に嵌合されても良いし、筐体部２１Ｂと固定部２３Ｂとが、例えば、樹脂の一体成型あるいはインサート成型等によって一体的に形成されても良い。
【００５９】
また、上記一実施形態では、電装部品２に、筐体部２１を固定対象物に固定するための固定部２３、および第１電線部３１の第１接続部３１ｃを筐体部２１に係合させる第１被係合部２４１が設けられていたが、これに限られない。例えば、電装部品２に、固定部２３と第１被係合部２４１の少なくとも一方の部分が設けられていても良い。
【００６０】
なお、上記一実施形態および各種変形例をそれぞれ構成する全部または一部を、適宜、矛盾しない範囲で組み合わせ可能であることは、言うまでもない。
【符号の説明】
【００６１】
１，１Ａ，１Ｂ  ワイヤーハーネス
２，２Ａ，２Ｂ  電装部品
３，３Ａ，３Ｂ  電線部
２１，２１Ａ，２１Ｂ  筐体部
２２，２２Ａ，２２Ｂ  フック部
２２Ｂ１  第１フック部
２２Ｂ２  第２フック部
２２ｃ  環状部
２２ｏ  欠損部
２３，２３Ａ，２３Ｂ  固定部
２４  被係合部
３１，３１Ａ，３１Ｂ  第１電線部
３１ｃ，３１ｃＢ  第１接続部
３１ｃｒ  第１係合部
３２，３２Ｂ  第２電線部
３２ｃ，３２ｃＢ  第２接続部
３２ｃｒ  第２係合部
３３ｃＢ  第３接続部
３３Ｂ  第３電線部
２１１，２１１Ｂ  第１被接続部
２１２，２１２Ｂ  第２被接続部
２１３Ｂ  第３被接続部
２４１  第１被係合部
２４２  第２被係合部
ｄ１  内径
Ｗ１  幅
【図１】
2016174516.tif 000003
【図２】
2016174516.tif 000004
【図３】
2016174516.tif 000005
【図４】
2016174516.tif 000006
【図５】
2016174516.tif 000007
【図６】
2016174516.tif 000008
【図７】
2016174516.tif 000009
【図８】
2016174516.tif 000010
【図９】
2016174516.tif 000011
【図１０】
2016174516.tif 000012
【図１１】
2016174516.tif 000013
【図１２】
2016174516.tif 000014
【図１３】
2016174516.tif 000015
【図１４】
2016174516.tif 000016
【図１５】
2016174516.tif 000017
【図１６】
2016174516.tif 000018
【図１７】
2016174516.tif 000019
【図１８】
2016174516.tif 000020